(57)【要約】【課題】出荷前の校正がより正確に行われた分光特性測定装置を提供する。【解決手段】分光特性測定装置１００は、測定試料２４に照明光を照射する照明部２１と、照明光を照射された測定試料２４からの放射光を波長に応じて分散させる分光部３２と、分光部３２により分散された光を波長ごとに受光し、電気信号に変換して出力する複数の受光素子を有する受光部３３と、照明光の分光強度分布に基づいて予め算出された、受光素子の合成中心波長を記憶している記憶部４３とを備えている。【選択図】図１
2010060525.tif 000002
【特許請求の範囲】
【請求項１】
測定試料に照明光を照射する照明部と、
前記照明光を照射された前記測定試料からの放射光を波長ごとに分散させる分光部と、
前記分光部により分散された光を波長ごとに受光し、電気信号に変換して出力する複数の受光素子を有する受光部と、
前記照明光の分光強度分布に基づいて予め算出された、前記受光素子の合成中心波長を記憶する記憶部とを備えた分光特性測定装置。
【請求項２】
前記合成中心波長は、前記受光素子に対する前記照明光の光強度および当該受光素子の受光感度に基づいて算出された、受光素子の合成感度により算出される請求項１に記載の分光特性測定装置。
【請求項３】
前記受光素子の合成感度は、さらに当該受光素子の周辺に配置された受光素子の前記合成感度を考慮して算出されている請求項２に記載の分光特性測定装置。
【請求項４】
前記記憶部は、前記照明光の分光強度分布を考慮せずに、前記受光素子の受光感度に基づいて予め算出された、前記受光素子の受光系中心波長と、
光源色を測定する際に、測定値を算出するための基準となる、レベル校正係数とをさらに記憶している請求項１に記載の分光特性測定装置。
【請求項５】
前記照明部は白色発光ダイオードである、請求項１ないし請求項４のいずれかに記載の分光特性測定装置。
【請求項６】
測定試料に照明光を照射し、前記測定試料からの放射光を波長ごとに分散させ、分散された光を複数の受光素子で受光し、電気信号に変換して出力する分光特性測定装置の校正方法であって、
前記受光素子の受光感度を取得する工程と、
前記受光素子に対する前記照明光の光強度を取得する工程と、
前記取得した、前記受光感度および前記照明光の光強度に基づいて、前記受光素子の合成感度を算出する工程と、
前記合成感度より前記受光素子の合成中心波長を算出する工程と、
前記合成中心波長を前記分光特性測定装置に記憶させる工程とを備えた分光特性測定装置の校正方法。
【請求項７】
測定試料に照明光を照射する照明部と、
前記照明光を照射された前記測定試料からの放射光を波長ごとに分散させる分光部と、
前記分光部により分散された光を波長ごとに受光し、電気信号に変換して出力する複数の受光素子を有する受光部と、
前記複数の受光素子の出力と、前記照明光の分光強度分布に基づいて予め算出された前記受光素子の合成中心波長とを用いて、前記測定試料の分光特性を算出する演算装置とを備えた分光特性測定システム。
【発明の詳細な説明】
【技術分野】
【０００１】
本発明は、測定試料の分光特性を測定する分光測色計などの分光特性測定装置およびその校正方法に関する。また、本発明は、分光測色計などを用いた分光特性測定システムに関する。
【背景技術】
【０００２】
例えば、分光測色計等の分光特性測定器は一般に、４００ｎｍ〜７００ｎｍあるいはこれより少し広い測定波長域に亘って、１０ｎｍまたは２０ｎｍの比較的広い半値幅および波長ピッチで分光測定を行う。分光特性測定器は、具体的には、光を波長ごとに分散させる分光部と、照射された光の強度に応じた電気信号を出力する、配列された複数の受光素子を有する受光部とを備えて構成される。そして、分光部により分散された波長ごとの光は、各受光素子に入射し、それらの光強度に応じた電気信号が各受光素子から出力される。
【０００３】
ここで、分光特性測定器は、分光部や受光素子等の各部品の性能のばらつきなどにより、製造段階において性能に誤差が生じてしまう。また、各部品の配置の仕方や組立誤差なども誤差の要因となり、同じ試料を測定しても、最終的に求められる測定値にばらつきが生じる。そこで、分光特性測定器においては、通常、出荷前に製品ごとに校正がなされる。
【０００４】
分光特性測定器の校正とは、例えば、各受光素子の受光感度等を求めて分光特性測定器に記憶させること等により行われる。測定の際は、これら記憶されている値を用いて、測定値を補間等することで、正確な値を求める。例えば、出荷時の校正の際に、各受光素子の中心波長を求めておき、その値を分光特性測定器に記憶させる。そして、測定時に、測定により得た値と、前記記憶された中心波長とに基づいて演算することで、正確な分光反射特性を得ることができる。ここで、校正における、各受光素子の中心波長の求め方について説明する。具体的には、半値幅の十分に小さい単色光を任意の波長において出力可能な照射型分光器を用いる。照射型分光器により、波長の異なる単色光を、分光特性測定器に順次入射させ、各受光素子から出力される電気信号をプロットする。これにより、各受光素子の中心波長を求めることができる。なお、中心波長は、受光素子における受光感度特性の、例えば、重心またはピークとすればよい。
【０００５】
例えば、特許文献１では、校正において中心波長を求め、この中心波長を基準とする範囲における受光感度の積分値を記憶しておき、測定により得られた測定値と記憶された値とを用いて演算し、測定値の精度改善を行っている。また、特許文献２では、校正において受光素子の中心波長（例えば、ピーク波長）を求め予め記憶しておき、測定により得られた測定値を前記中心波長に基づいて補間することで、測定値の精度改善を行っている。
【特許文献１】特開昭６２−２８９７３６号公報
【特許文献２】特開昭６２−２８４２２６号公報
【発明の開示】
【発明が解決しようとする課題】
【０００６】
分光特性測定装置において、従来は、照明光としてキセノンランプやタングステンランプなどが用いられてきたが、近年では、その代わりに白色ＬＥＤ（Light Emitting Diode：発光ダイオード）等が用いられるようになってきている。しかし、キセノンランプやタングステンランプの波長に対する分光強度分布が比較的平坦であるのに対して、白色ＬＥＤの波長に対する分光強度分布は急峻である。ここで、分光強度分布が平坦であるとは、受光素子列の隣接する波長間において光の強度の変化が少ないことをいう。また、分光強度分布が急峻であるとは、受光素子列の隣接する波長間における光の強度が大きく変化することをいう。より具体的には、図９および図１０を用いて説明する。図９はタングステンランプの波長に対する分光強度分布を示すグラフである。また、図１０は白色ＬＥＤの波長に対する分光強度分布を示すグラフである。図９および図１０において、横軸は波長であり縦軸は相対強度である。図９に示すように、タングステンランプは波長が大きくなるにつれて、相対強度も大きくなっている。しかし、急激に増加している箇所はなく、略単調増加であり、分光強度分布は平坦であるといえる。また、白色ＬＥＤの分光強度分布は、図１０に示す例では、図９に示した波長帯域と同様であるにもかかわらずピークを２つ有している。つまり、所定の波長帯域に光強度の複数のピークを有し、図９と比べて、波長に対して、光強度が急激に増加および急激に減少している箇所がある。このように、図１０に示した白色ＬＥＤの分光強度分布は、急峻であるといえる。
【０００７】
ここで、分光特性測定装置においては、測定試料に照射された照明光の反射光を分散させ、測定する。したがって、測定された値には、照明光の特性も反映される。しかし、従来のようにタングステンランプを照明光とした場合は、分光特性測定装置における受光部の各受光素子における受光感度とは、受光素子の性能に起因するものだけを考慮していればよかった。しかし、照明光に、上述のように、白色ＬＥＤ等のような、波長に対する分光強度分布が急峻なものを用いる場合には、受光感度に照明光の影響が強く出ることとなる。そこで、受光感度に対する照明光の影響について説明する。
【０００８】
分光特性測定装置における受光感度について図１１〜図１４を用いて説明する。図１１は照明光をタングステンランプとした場合における受光素子の受光感度について説明する第１のグラフであって、図１１（Ａ）は受光素子の受光感度および照明光の光強度を示すグラフであり、図１１（Ｂ）は受光素子の合成感度を示すグラフである。また、図１２は照明光を白色ＬＥＤとした場合における受光素子の受光感度について説明する第１のグラフであって、図１２（Ａ）は受光素子の受光感度および照明光の光強度を示すグラフであり、図１２（Ｂ）は受光素子の合成感度を示すグラフである。また、図１３は照明光をタングステンランプとした場合における受光感度について説明する第２のグラフであって、図１３（Ａ）は各受光素子の受光感度を示すグラフであり、図１３（Ｂ）は重み付け後の受光感度を示すグラフである。また、図１４は照明光を白色ＬＥＤとした場合における受光感度について説明する第２のグラフであって、図１４（Ａ）は受光素子の受光感度を示すグラフであり、図１４（Ｂ）は重み付け後の受光感度を示すグラフである。なお、図１１〜図１４において、横軸は波長であり、縦軸は受光素子の相対感度または照明光の相対強度である。また、図１１、図１２における、受光素子Ｎｏ．１〜Ｎｏ．３は、それぞれ隣接する３つの受光素子を示しており、これらの受光素子Ｎｏ．１〜Ｎｏ．３の順に並んで配列されている。
【０００９】
照明光をタングステンランプとした場合は、図１１（Ａ）に示すように、各受光素子における受光感度および照明光の分光強度分布が得られる。図１１（Ａ）に示すように、照明光の分光強度分布は平坦である。また、図１１（Ａ）で示している各受光素子の感度は、照明光の影響を受けていない状態での値である。実際の測定においては、照明光の影響も加わることから、その場合の合成感度は、図１１（Ｂ）に示すような値となる。この合成感度は、具体的には、各受光素子における受光感度と照明光の光強度とを乗じることで求められる。図１１（Ａ）および図１１（Ｂ）を比べることでわかるように、両者において、各受光素子Ｎｏ．１〜Ｎｏ．３における中心波長は略一定である。
【００１０】
また、照明光を白色ＬＥＤとした場合は、図１２（Ａ）に示すように、各受光素子における受光感度および照明光の分光強度分布が得られる。図１２（Ａ）に示すように、照明光の分光強度分布は急峻であり、タングステンランプに比べてその傾きが大きい。また、図１２（Ａ）で示している各受光素子の感度は、図１１（Ａ）と同様に、照明光の影響を受けていない状態での値である。照明光の影響も加えた場合の合成感度は、図１２（Ｂ）に示すような値となる。図１２（Ａ）および図１２（Ｂ）を比べることでわかるように、両者において、各受光素子Ｎｏ．１〜Ｎｏ．３における中心波長の位置がずれている。具体的には、照明光の光強度が波長の増加とともに急激に増加する場合は、合成感度による中心波長は、受光素子の性能のみにより算出された中心波長に比べて増加している。
【００１１】
このように、照明光としてタングステンランプを用いる場合には、影響がほとんどなかったが、白色ＬＥＤ等のように、波長に対する分光強度分布は急峻な照明光を用いる場合には、照明光の影響を受けていない状態での中心波長を記憶しておき、その値を用いて測定値を補間等しても、正確な測定値を求めることは困難である。
【００１２】
また、例えば、受光素子の受光感度に、その受光素子に隣接する複数の受光素子における受光感度それぞれに重み付けを施し加算することで、受光素子の受光感度の精度を向上させ、Ｓ／Ｎ比を向上させる方法がある。そのような場合に、タングステンランプを照明光とした場合には、まず、中央受光素子（受光素子Ｎｏ．２）とそれに隣接する受光素子（受光素子Ｎｏ．１および３）の受光感度は、図１３（Ａ）に示すように求められる。なお、図１３（Ａ）に示す各受光素子の合成感度は、図１１（Ｂ）の各受光素子の合成感度に対応する。図１３（Ａ）に示すように、隣接する受光素子である受光素子Ｎｏ．１および３の合成感度はほとんど変わらないので、重み付けのための重み係数は、左右対称とすればよい。そして、これら受光素子Ｎｏ．１〜Ｎｏ．３の合成感度を用いて、重み付け演算することで、図１３（Ｂ）に示す合成感度を求めることができる。図１３（Ａ）および図１３（Ｂ）を比べることでわかるように、図１３（Ｂ）に示す合成中心波長と、図１３（Ａ）に示す受光素子Ｎｏ．２の合成中心波長とはほぼ同一であり、ほとんどずれが生じていない。なお、合成中心波長とは、合成感度をもとに算出した受光素子の中心波長をいう。次に、白色ＬＥＤを照明光とした場合について説明する。白色ＬＥＤを照明光とした場合には、まず、中央受光素子（受光素子Ｎｏ．２）とそれに隣接する受光素子（受光素子Ｎｏ．１および３）の合成感度は図１４（Ａ）に示すように求められる。なお、図１４（Ａ）に示す各受光素子の合成感度は、図１２（Ｂ）の各受光素子の合成感度に対応する。これらの合成感度に応じて、適当な重み係数を用いて重み付け演算することで、図１４（Ｂ）に示す合成感度を求めることができる。図１４（Ａ）および図１４（Ｂ）を比べることでわかるように、図１４（Ｂ）に示す合成中心波長は、図１４（Ａ）に示す受光素子Ｎｏ．２の中心波長よりも大きい値となり、ずれが生じている。
【００１３】
このように、タングステンランプの代わりに、白色ＬＥＤを照明光として用いることで、照明光の影響を受けていない状態での受光素子の受光感度のみに基づいて、中心波長等を求めて測定の際にそれを用いて測定値を補間しても、実際の分光特性測定においては、上述のように照明光の影響も出ることから正確な測定値を得ることはできない。
【００１４】
本発明は、上述の事情に鑑みて為された発明であり、その目的は、出荷前の校正がより正確に行われた分光特性測定装置、分光特性測定装置をより正確に校正する方法およびより正確な分光特性を測定できる分光特性測定システムを提供することである。
【課題を解決するための手段】
【００１５】
本発明者は、種々検討した結果、上記目的は、以下の本発明により達成されることを見出した。すなわち、本発明の一態様に係る分光特性測定装置は、測定試料に照明光を照射する照明部と、前記照明光を照射された前記測定試料からの放射光を波長ごとに分散させる分光部と、前記分光部により分散された光を波長ごとに受光し、電気信号に変換して出力する複数の受光素子を有する受光部と、前記照明光の分光強度分布に基づいて予め算出された、前記受光素子の合成中心波長を記憶する記憶部とを備えている。
【００１６】
これにより、照明光の波長に対する分光強度分布が急峻であっても、実際の測定時における受光素子の中心波長（合成中心波長）を予め記憶部に記憶しているため、測定の際に、測定値と記憶されている中心波長とに基づいて演算することにより、より正確な分光特性を測定することができる。
【００１７】
また、上述の分光特性測定装置において、前記合成中心波長は、前記受光素子に対する前記照明光の光強度および当該受光素子の受光感度に基づいて算出された、受光素子の合成感度により算出されることが好ましい。
【００１８】
これにより、記憶部に予め記憶される中心波長は、実際の測定時における受光素子の中心波長である。したがって、より正確な分光特性を測定することができる。
【００１９】
また、上述の分光特性測定装置において、前記受光素子の合成感度は、さらに当該受光素子の周辺に配置された受光素子の前記合成感度を考慮して算出されていることが好ましい。
【００２０】
これにより、受光素子から出力された電気信号を、例えば、重み付け加算演算により処理するため、Ｓ／Ｎ（signal to noise ratio）比が向上し、かつ、中心波長は実際の測定時における受光素子の実質的な中心波長となるので、より正確な分光特性を測定することができる。
【００２１】
また、上述の分光特性測定装置において、前記記憶部は、前記照明光の分光強度分布を考慮せずに、前記受光素子の受光感度に基づいて予め算出された、前記受光素子の受光系中心波長と、光源色を測定する際に、測定値を算出するための基準となる、レベル校正係数とをさらに記憶していることが好ましい。
【００２２】
これにより、分光特性測定装置を、物体色測定だけでなく、光源色測定用にも使用することができる。
【００２３】
また、上述の分光特性測定装置において、前記照明部は白色発光ダイオードであることが好ましい。
【００２４】
これにより、照明光の長寿命化、小型化、軽量化等を実現できる。
【００２５】
また、本発明の一態様に係る分光特性測定装置の校正方法は、測定試料に照明光を照射し、前記測定試料からの放射光を波長ごとに分散させ、分散された光を複数の受光素子で受光し、電気信号に変換して出力する分光特性測定装置の校正方法であって、前記受光素子の受光感度を取得する工程と、前記受光素子に対する前記照明光の光強度を取得する工程と、前記取得した、前記受光感度および前記照明光の光強度に基づいて、前記受光素子の合成感度を算出する工程と、前記合成感度より前記受光素子の合成中心波長を算出する工程と、前記合成中心波長を前記分光特性測定装置に記憶させる工程とを備えている。
【００２６】
これにより、照明光の波長に対する分光強度分布が急峻であっても、測定の際にその影響を受けずに、より正確な分光特性を測定できるように校正することができる。
【００２７】
また、本発明の一態様に係る分光特性測定システムは、測定試料に照明光を照射する照明部と、前記照明光を照射された前記測定試料からの放射光を波長ごとに分散させる分光部と、前記分光部により分散された光を波長ごとに受光し、電気信号に変換して出力する複数の受光素子を有する受光部と、前記複数の受光素子の出力と、前記照明光の分光強度分布に基づいて予め算出された前記受光素子の合成中心波長とを用いて、前記測定試料の分光特性を算出する演算装置とを備えている。なお、演算装置とは、例えばパーソナルコンピュータ等である。
【００２８】
このように、分光特性測定システムは、受光部と、分光部と、照明部とを有する分光特性測定装置と、演算装置とを備えている。それにより、照明光の波長に対する分光強度分布が急峻であっても、実際の測定時における受光素子の中心波長（合成中心波長）と、測定値とを用いて分光特性を算出するので、より正確な分光特性を測定することができる。
【発明の効果】
【００２９】
本発明によれば、出荷前の校正がより正確に行われた分光特性測定装置および分光特性測定装置をより正確に校正する方法を提供することができる。
【発明を実施するための最良の形態】
【００３０】
以下、本発明に係る実施の形態を図面に基づいて説明する。なお、各図において同一の符号を付した構成は、同一の構成であることを示し、その説明を省略する。
【００３１】
（実施の形態１）
本発明の実施の形態１に係る分光特性測定システムについて説明する。まず、実施の形態１に係る分光特性測定システムの構成について説明する。図１は実施の形態１に係る分光特性測定システムの構成を説明するための図である。図２は実施の形態１に係る分光特性測定装置の測定部の構成を示す側面図である。図２は図１に示された測定部２の側面図を示すものであり、測定部２は、図１に示されていないが、紫色ＬＥＤ２７を備え、紫色ＬＥＤ２７は発光回路１に接続されている。また、図３は実施の形態１に係る分光特性測定装置の測定部において、白色ＬＥＤよりも下側の構成を示す上面図である。
【００３２】
図１に示すように、実施の形態１に係る分光特性測定システムＳは、分光特性測定装置１００と演算装置であるパーソナルコンピュータ（以下、パソコンという）６とを備えて構成される。分光特性測定装置１００は、発光回路１と、測定部２と、分光測定部３と、制御部４と、測定トリガ５とを備えて構成され、例えば、測定試料２４の色を分析する分光測色計等である。また、パソコン６は分光特性測定装置１００において、測定した値を演算、表示等する。
【００３３】
発光回路１は、測定部２に備えられた照明部である白色ＬＥＤ２１および紫色ＬＥＤ２７を点灯させるための回路であり、例えば、電子回路部品により構成されている。
【００３４】
測定部２は、照明部である白色ＬＥＤ２１と、白色ＬＥＤ２１の上部に配置された反射ミラー２２と、トロイダルミラー２３と、測定試料２４と、レンズ２５と、オプティカルファイバ２６と、紫色ＬＥＤ２７とを備えて構成されている。
【００３５】
白色ＬＥＤ２１は照明部であり、測定試料２４を照らす白色光を出射する。反射ミラー２２は白色ＬＥＤ２１から出射された白色光をリング状に反射して、トロイダルミラー２３へと導く。トロイダルミラー２３は、横方向と縦方向の曲率が異なる非球面反射鏡であり、球面鏡と比べて、点光源からの光を試料面全体に、均一に照射できるという効果を奏する。さらに、紫外から赤外までの幅広い波長域に対応できる。トロイダルミラー２３は、反射ミラー２２からのリング状である白色光および一方向からの紫色ＬＥＤ２７から出射された紫色光を反射させて、測定試料２４にこれらの光を導き照射する。紫色ＬＥＤ２７は、白色ＬＥＤ２１からの照明光を補うために設けられている。すなわち、白色ＬＥＤ２１から出射される白色光は、短波長（４２０ｎｍ程度）のエネルギーが比較的低い。そこで、紫色ＬＥＤ２７から出射される短波長のエネルギーを有する、例えば主波長が４１０ｎｍである紫色光により照明光を補うこととしている。測定試料２４は測定対象物である。トロイダルミラー２３において反射した白色光および紫色光は測定試料２４に照射され、測定試料２４にて反射される。レンズ２５は測定試料２４の上方に位置し、測定試料２４からの反射光を集束させてオプティカルファイバ２６に結合させる。オプティカルファイバ２６は測定試料２４からの光（反射光）を分光測定部３に導く。
【００３６】
分光測定部３は、入射スリット３１と、分光部である回折格子３２と、複数の受光素子が同一直線状に並ぶように配置された、受光部である受光ラインセンサ３３とを備えている。入射スリット３１は、オプティカルファイバ２６により導かれた測定試料２４からの光を分光測定部３内に入射させる。回折格子３２は、入射スリット３１を介することで、帯状の光束とされた測定試料２４からの光を波長ごとに分光させる。具体的には、回折格子３２に入射された光は、波長ごとに異なる反射方向に反射される。したがって、所定の方向に沿って異なる波長の光が並んで反射される。なお、実施の形態１では、回折格子３２は反射型としているが、例えば透過型回折格子としてもよい。受光ラインセンサ３３は複数の受光素子が並んで配列されていて、その配列方向は、回折格子３２により分散する方向と同一である。このような構成であることから、回折格子３２で分光された、それぞれ異なる波長の光が各受光素子に入射される。これら光が入射することで、受光素子はその光に応じた電気信号を出力する。例えば、１２８個の受光素子を配列し、それぞれの測定ピッチは４ｎｍとすればよい。なお、出力された電気信号は制御部４へ送られる。
【００３７】
制御部４は、各種電子部品や集積回路部品、ＣＰＵ（Central Processing Unit）等からなり、分光特性測定装置１００の各部の動作制御を行う測定制御部４１と、分光測定部３からの電気信号をもとに、各種演算を行う演算処理部４２とを備え、さらに、分光特性測定装置１００の演算処理や制御処理等のプログラムや出荷時に予め求めた校正データ等を記憶するＲＯＭ（Read Only Memory）、ＥＥＰＲＯＭ（Electrically Erasable Programmable ROM）、フラッシュメモリ等の不揮発性メモリや、データを一時的に格納するＲＡＭ（Random Access Memory）等を備える記憶部４３とを備えて構成される。
【００３８】
測定トリガ５は、分光特性の測定開始の指示を行うためのスイッチである。
【００３９】
パソコン６は、分光特性測定装置１００の外部機器であり、例えばＵＳＢ等のインターフェースを介して分光特性測定装置１００と接続されている。パソコン６は、演算を行うためのＣＰＵや、ＲＯＭ、ＥＥＰＲＯＭ、ＲＡＭ、フラッシュメモリ等の記憶部を有する。さらに、図示はしていないが、測定結果をモニタするための、例えばＬＣＤ（Liquid Crystal Display）や有機エレクトロルミネッセンス表示装置やＣＲＴ(Cathode-Ray Tube)表示装置等の表示装置も有している。また、パソコン６はＣＤ−ＲＯＭ（Compact Disc Read Only Memory）やメモリーカード等の補助記録媒体を装着あるいは脱着可能であり、これら補助記録媒体からのデータの読み出しや、補助記録媒体へのデータの書き込みが可能である。それにより、パソコン６の演算において用いるデータを記録した補助記録媒体をパソコン６に装着して演算に必要なデータを読み出したり、パソコン６が算出したデータを補助記録媒体により保存しておくこと等が可能である。そして、パソコン６は、測定値の演算、測定結果の表示等、分光特性測定装置１００の補助的な働きをする。
【００４０】
次に、実施の形態１に係る分光特性測定装置１００の出荷時における校正方法について図４を用いて説明する。図４は実施の形態１に係る分光特性測定装置の校正方法を示すフローチャートである。まず、従来と同様に、照明光の影響を受けない場合の受光部３３における各受光素子の受光感度を取得する（Ｓ１０１）。具体的には、半値幅の十分に小さい単色光を出力可能な照射型分光器等により、分光測定部３に各波長成分の単色光を順次出力させる。各単色光は回折格子３２にて波長ごとに異なる角度で反射され、並んで配列された受光ラインセンサ３３の各受光素子に照射される。光が照射された受光素子は、電気信号を出力する。この受光ラインセンサ３３からの電気信号をプロットすることで、各受光素子の受光感度を取得することができる。
【００４１】
次に、照明光の分光強度分布を取得する（Ｓ１０２）。具体的には、分光放射輝度計等を用いて、白色ＬＥＤ２１および紫色ＬＥＤ２７から出射される照明光を測定することで、照明光の波長に対する分光強度分布を取得することができる。
【００４２】
次に、これら受光素子の受光感度と照明光の分光強度分布とを基に、これらの特性を含む合成感度を算出する（Ｓ１０３）。ここで、ｆｎ（λ）はｎ番目の受光素子における合成感度であり、Ｉｎ（λ）はｎ番目の受光素子に入射される照明光の光強度であり、Ｄｎ（λ）はｎ番目の受光素子における受光感度であるとすると、ｆｎ（λ）は以下の式１により求められる。なお、受光ラインセンサ３３が１２８個の受光素子を備えている場合は、ｎは１〜１２８の整数である。
【００４３】
ｆｎ（λ）＝Ｉｎ（λ）×Ｄｎ（λ）  ・・・（１）
具体的には、照明光の光強度と受光素子の受光感度を乗じることで、この分光特性測定装置１００の各受光素子における合成感度を求めることができる。このようにして、算出した合成感度を用いて、各受光素子における中心波長（合成中心波長）を算出する（Ｓ１０４）。受光素子ごとの受光感度特性における重心を中心波長とすればよい。そこで、重心である中心波長をλｇとし、波長をλとし、この波長λにおける合成感度をＳ（λ）とすると、中心波長は、以下の式２で表すことができる。
【００４４】
【数１】
2010060525.tif 000003
【００４５】
なお、各受光素子の中心波長は、分光特性測定装置１００を調整するための装置により算出すればよい。分光特性測定装置１００を調整するための装置は、例えばパソコン等とすればよい。
【００４６】
このようにして、算出された各受光素子の中心波長は校正データの１つとして記憶部４３に記憶される（Ｓ１０５）。なお、中心波長の算出は演算処理部４２でなされればよい。
【００４７】
さらに、キャリブレーション用のデータである白色校正板データを記憶部４３に記憶させる（Ｓ１０６）。なお、白色校正板データは、それぞれの装置に固有のデータではなく、それぞれの白色校正板に固有のデータである。
【００４８】
また、算出された中心波長や白色校正板のデータは、パソコン６を介して補助記録媒体に記憶されてもよい。すなわち、分光特性測定装置１００と、合成中心波長データを記憶した補助記録媒体との組み合わせで測定するシステムを構成するようにしてもよい。
【００４９】
以上の工程で、出荷前の分光特性測定装置１００の校正が終了する。本実施の形態１に係る分光特性測定装置１００は、上述のように、記憶部４３に校正データを記憶している。校正データとしては、照明光の波長に対する分光強度分布に基づいて算出された、各受光素子における合成中心波長および白色校正板データである。
【００５０】
次に、この分光特性測定装置１００を用いて、測定試料２４の分光特性を測定する方法について図５を用いて説明する。図５は実施の形態１に係る分光特性測定システムを用いた測定方法を示すフローチャートである。まず、測定前の校正を行う。図１に示した、実施の形態１に係る分光特性測定システムＳにおいて、白色校正板を測定試料２４として設置する。測定トリガ５を操作することで、測定が開始される。まず、オフセット補正を行うため、照明光は照射せずに測定を行う。つまり、白色校正板によるオフセット測光が行われる（Ｓ２０１）。具体的には、測定トリガ５からの測定開始の信号が入力されると、測定動作を行うよう、制御部４の測定制御部４１は各部品を制御する。照明光が照射されない状態であるため、測定試料２４から反射される光もない。つまり、反射率が０の状態の測定値が測定される。この際に出力された電気信号は制御部４に入力され、いったん記憶部４３に記憶される。
【００５１】
次に、照明光を照射した状態での、白色校正板の測光を行う（Ｓ２０２）。具体的には、測定制御部４１は、発光回路１に、白色ＬＥＤ２１および紫色ＬＥＤ２７から、白色光および紫色光を出射させる。白色光は白色ＬＥＤ２１の上方に設置された反射ミラー２２に入射して反射し、トロイダルミラー２３に入射する。紫色光は、直接トロイダルミラー２３に入射する。そして、それらはトロイダルミラー２３で反射し、白色校正板である測定試料２４に照射される。測定試料２４に白色光および紫色光が照射されることにより、測定試料２４でそれらが反射して、その反射光がレンズ２５で集束され、オプティカルファイバ２６に結合される。反射光はオプティカルファイバ２６中を伝播して、分光測定器３の入射スリット３１を介して回折格子３２に入射する。回折格子３２において、前記反射光は分散され、すなわち波長ごとに異なる反射角度で反射され、受光ラインセンサ３３に入射される。それにより、各受光素子に光が入力され、電気信号として出力される。出力された電気信号は制御部４に入力され、パソコン６に送られる。
【００５２】
これら、白色校正板による測定値は、分光特性測定における基準とされる。パソコン６はステップＳ２０２において測定したデータと、ステップＳ２０１において測定したデータとの差を演算することでオフセット補正演算を行う（Ｓ２０３）。これにより算出された白色校正カウント値はパソコン６に記憶される。
【００５３】
ステップＳ２０１〜Ｓ２０３によって、実施の形態１に係る分光特性測定システムＳの測定前の校正が完了する。次に、実際の測定試料２４の測定を開始する。まず、照明光を照射せずに、上記ステップＳ２０１と同様に、オフセット測光を行う（Ｓ２０４）。そして、測光により、受光ラインセンサ３３の各受光素子から電気信号が出力され、出力された電気信号は制御部４に入力され、パソコン６に送られて記憶される。
【００５４】
次に、ステップＳ２０２と同様に、照明光を照射した状態での、測定試料２４の測光を行う（Ｓ２０５）。そして、測光により、受光ラインセンサ３３の各受光素子から電気信号が出力され、出力された電気信号は制御部４に入力され、パソコン６に送られて記憶される。
【００５５】
これら、ステップＳ２０４およびステップＳ２０５において測定されたデータをもとに、パソコン６は測定試料２４のオフセット補正演算を行う（Ｓ２０６）。具体的には、ステップＳ２０３と同様に、ステップＳ２０５において測定したデータと、ステップＳ２０４において測定したデータとの差を演算することで、各受光素子の測光カウント値を求める。パソコン６はさらに、このようにして求めた、測定試料２４における測光カウント値と、ステップＳ２０３で求めた白色校正カウント値との比率（測光カウント比率）を演算により求める（Ｓ２０７）。なお、このようにして得られた、各受光素子における測光カウント値は、その各受光素子に対応する中心波長における値である。すなわち、校正データである合成感度により算出された各受光素子に対応する中心波長（合成中心波長）における値である。そこで、任意の波長における測光カウント値に換算するため、３次補間を行う（Ｓ２０８）。パソコン６は、このようにして、求めた任意の波長における測光カウント値および白色校正カウント値等から、各波長の反射率を求める（Ｓ２０９）。測定試料２４の反射率をＲｅｆ（λ）とし、測定試料２４の測光カウント値をＣｓ（λ）とし、白色校正板カウント値をＣｃ（λ）とし、出荷時に記憶部４３に記憶された校正データであり、白色校正板の真の値である白色校正板データをＷ（λ）とすると、測定試料２４の反射率Ｒｅｆ（λ）は、以下に示す式３で表すことができる。
Ｒｅｆ（λ）＝（Ｃｓ（λ）／Ｃｃ（λ））・Ｗ（λ）  ・・・（３）
このようにして、得られた各波長における反射率をもとにパソコン６は色彩演算を行う（Ｓ２１０）。さらに、パソコン６は得られた反射率および色彩演算の結果を表示する（Ｓ２１１）。
【００５６】
上述の実施の形態１に係る分光特性測定システムＳを用いて、実際に測定し、従来の分光特性測定システムと比較した。図６は実施の形態１の分光特性測定装置と、照明光として白色ＬＥＤを用いた従来の分光特性測定装置との性能評価を示すグラフである。図６においては、反射率が既知である測定試料２４を、それぞれの分光特性測定装置を用いて測定し、その測定結果と既知の反射率との差を示している。図６中、一点鎖線で示した反射率は、照明光である白色ＬＥＤから出射された白色光の波長ごとの反射率Ｒｅｆ、すなわち光強度を表している。また、破線は、照明光として白色ＬＥＤを用いた従来の分光特性測定装置で求めた反射率と既知の反射率との差ΔＲｅｆを示している。また、実線は、実施の形態１の分光特性測定装置で求めた反射率と既知の反射率との差ΔＲｅｆを示している。図６に示されているように、白色ＬＥＤの波長の変化に対して、反射率の変化が顕著な箇所、具体的には波長が約５００ｎｍ以下においては、破線で示した従来例は、０パーセントから外れた値となっているが、実線で示した実施の形態１は、全波長域において、略０パーセントである。このように、白色ＬＥＤを照明光として用いた場合でも、実施の形態１に係る分光特性測定装置においては、高精度を維持している。
【００５７】
なお、分光特性測定装置１００においては、１つの受光素子の合成感度だけでなく、例えばその受光素子に隣接する受光素子の合成感度を重み付け演算することで、受光素子の合成感度を算出してもよい。それにより、Ｓ／Ｎ（signal to noise ratio）比の向上等の効果を奏する。なお、重み付け演算に用いる合成感度は隣接する受光素子によるものだけでなく、それ以外の受光素子の合成感度でもよい。また、例えば、隣接する受光素子の合成感度を用いて重み付け演算する場合は、隣接する受光素子の合成感度には０．２５を乗じ、中央受光素子の合成感度には０．５を乗じたものを加算する等すればよい。このように、重み付け演算を用いて、分光特性を測定する分光特性測定装置１００の場合は、図４で示した校正方法においては、ステップＳ１０３において、合成感度を算出した後に、重み付け演算を行い算出された合成感度をもとに、ステップＳ１０４において中心波長を算出すればよい。具体的には、以下に示す式４を用いて、重み付け演算後の合成感度を求めればよい。ここで、ｎ番目の受光素子における重み付け演算後の合成感度をＴｎ（λ）とし、ｎ番目の受光素子における合成感度をｆｎ（λ）とし、各合成感度に乗じるウェイトを、Ｗ１およびＷ２とする。なお、Ｗ１は両隣の受光素子の合成感度に乗じるウェイトであり、Ｗ２は中央受光素子の合成感度に乗じるウェイトである。
【００５８】
Ｔｎ（λ）＝Ｗ１ｆｎ−１（λ）＋Ｗ２ｆｎ（λ）＋Ｗ１ｆｎ＋１（λ）・・・（４）
このようにして、求めた合成感度Ｔｎ（λ）を用いて中心波長を求めればよい。
【００５９】
また、このように、重み付け演算による合成感度をもとに求めた中心波長を記憶部４３に記憶した分光特性測定装置１００を用いて分光特性を測定する方法について説明する。図５で説明した測定方法において、ステップＳ２０３で白色校正カウント値を求めた後に、さらにパソコン６はこの白色校正カウント値に重み付け演算を施す。ここで、ｎ番目の受光素子における重み付け演算後の白色校正カウント値であるＣｔｎは、以下に示した式５により求めることができる。なお、Ｃｎはｎ番目の受光素子におけるカウント値である。
【００６０】
Ｃｔｎ＝Ｗ１Ｃｎ−１＋Ｗ２Ｃｎ＋Ｗ１Ｃｎ＋１  ・・・（５）
このようにして求めた重み付け演算後の白色校正カウント値であるＣｔｎはパソコン６に記憶される。
【００６１】
また、ステップＳ２０６で行うオフセット補正演算により求めた各受光素子の測光カウント値においても、パソコン６は白色校正カウント値と同様に、重み付け演算を施す。そして、ステップＳ２０７において、重み付け演算後の各受光素子の測光カウント値と、重み付け演算後の白色校正カウント値との比率を演算により求めることで、測光カウント比率を求めればよい。
【００６２】
このように、実施の形態１に係る分光特性測定システムにおいては、重み付け演算を用いて、より高精度の測定を行うことができる。
【００６３】
（実施の形態２）
本発明の実施の形態２に係る分光特性測定装置を含む分光特性測定システムについて説明する。なお、実施の形態２に係る分光特性測定システムの構成は、実施の形態１に係る分光特性測定システムの構成と同一であるため、説明を省略する。また、実施の形態２に係る分光特性測定システムの説明において、各部材には実施の形態１と同一の符号を用い、説明には図１〜図３を用いる。実施の形態２に係る分光特性測定装置１００は、発光していない物体だけでなく、光源等の発光している物体についても、その分光特性を測定できる点が、実施の形態１とは異なる。
【００６４】
まず、実施の形態２に係る分光特性測定装置１００の出荷時の校正方法について図７を用いて説明する。図７は実施の形態２に係る分光特性測定装置の校正方法を示すフローチャートである。まず、照明光の影響を受けない場合の受光部３３における各受光素子の受光感度を取得する（Ｓ３０１）。具体的には、半値幅の十分に小さい単色光を出力可能な照射型分光器等により、分光測定部３に各波長成分の単色光を順次出力させる。各単色光は回折格子３２にて波長ごとに異なる角度で反射され、並んで配列された受光ラインセンサ３３の各受光素子に照射される。光が照射された受光素子は、電気信号を出力する。この受光ラインセンサ３３からの電気信号をプロットすることで、各受光素子の受光感度を取得することができる。次に、取得した受光感度を用いて、各受光素子における中心波長を算出する（Ｓ３０２）。なお、このように、照明光の影響を考慮せずに、受光素子の受光感度にもとづいて算出された中心波長を受光系中心波長という。そして、この各受光素子の受光系中心波長は校正データの１つとして記憶部４３に記憶される（Ｓ３０３）。次に、レベル校正係数の算出を行う（Ｓ３０４）。具体的には、分光放射輝度が既知であるレベル校正用の光源を測定試料２４として、照明光を照射せずに分光測定を行い、受光ラインセンサ３３からの電気信号をプロットする。このデータをもとに、既知である輝度と出力される電気信号との相関関係を示すレベル校正係数を演算処理部４２により算出し、校正データの１つとして記憶部４３に記憶させる（Ｓ３０５）。つまり、レベル校正係数は、測定値を算出するための基準となる。次に、照明光の波長に対する分光強度分布を取得する（Ｓ３０６）。具体的には、分光放射輝度計等を用いて、白色ＬＥＤ２１および紫色ＬＥＤ２７から出射される照明光を測定することで、照明光の波長に対する分光強度分布を取得することができる。
【００６５】
次に、ステップＳ３０１で取得した各受光素子の受光感度と、ステップＳ３０６で取得した照明光の分光強度分布とをもとに、合成感度を算出する（Ｓ３０７）。なお、合成感度は、上記式１を用いて算出すればよい。具体的には、照明光の光強度と受光素子の受光感度を乗じることで算出される。このようにして、算出した合成感度を用いて、合成感度による各受光素子の中心波長（合成中心波長）を算出する（Ｓ３０８）。なお、中心波長は、受光素子ごとの受光感度特性における重心とすればよい。具体的には、上記式２を用いて算出すればよい。このようにして、算出された合成感度による合成中心波長は校正データの１つとして記憶部４３に記憶される（Ｓ３０９）。
【００６６】
さらに、キャリブレーション用のデータである白色校正板データを記憶部４３に記憶させる（Ｓ３１０）。なお、白色校正板データは既存のものであり、それぞれの装置に固有のデータではなく、それぞれの白色校正板に固有のデータである。
【００６７】
以上の工程で、出荷前の分光特性測定装置１００の校正が終了する。本実施の形態２に係る分光特性測定装置１００は、上述のように、記憶部４３に校正データを記憶している。校正データとしては、ステップＳ３０２に、おいて算出した各受光素子における受光系中心波長、ステップＳ３０８において算出した照明光の分光強度分布を考慮して求めた、合成感度による各受光素子の合成中心波長、レベル校正係数および白色校正板データである。
【００６８】
次に、この分光特性測定装置１００を用いて、測定試料２４の分光特性を測定する方法について図８を用いて説明する。図８は実施の形態２に係る分光特性測定装置を用いた測定方法を示すフローチャートである。上述のように、実施の形態２に係る分光特性測定装置１００は、発光していない物体だけでなく、光源等の発光している物体についても、その分光特性を測定できる。まず、測定試料２４として、非発光の物体を選択した場合と、発光する物体を選択した場合では、操作方法が異なる。その操作方法（測定モード）を選択する（Ｓ４０１）。非発光の物体を選択した場合は、実施の形態１において説明した図５のフローチャートの手順に沿って測定すればよいので、ここでは説明を省略する。なお、図５においては、ステップＳ２０８で行う３次補間に用いる合成感度による各受光素子に対応する中心波長として、校正データであるステップＳ３０８において算出した合成感度による各受光素子の合成中心波長を用いればよい。また、ステップＳ２０９において各波長の反射率を求める際に用いるＷ（λ）としては、校正データである白色校正板データを用いればよい。具体的には、パソコン６は、これらの計算の際に記憶部４３から、これら校正データを読み出せばよい。
【００６９】
また、ステップＳ４０１において光源等の発光する物体を選択した場合は、まず、測定試料２４は設置せずに、測定部２にキャップを取り付けて外部から光が入らないようにした状態で、照明光は照射せずに測定するオフセット測光を行う（Ｓ４０２）。なお、測定試料２４として、光源等の発光する物体を用いた場合は、測定において照明光を照射する必要はない。この測定により、受光ラインセンサ３３から出力された電気信号は制御部４に入力され、パソコン６に送られて記憶される。次に、キャップを取りはずし、発光する物体である測定試料２４を設置し、照明光は照射せずに測光する（Ｓ４０３）。そして、測光により得られたデータは、パソコン６に送られて記憶される。
【００７０】
これら、ステップＳ４０２およびステップＳ４０３において測定されたデータをもとに、パソコン６は測定試料２４のオフセット補正演算を行う（Ｓ４０４）。具体的には、ステップＳ４０３において測定したデータと、ステップＳ４０２において測定したデータとの差を演算することで、各受光素子の測光カウント値を求める。次に、レベル補正演算を行う（Ｓ４０６）。具体的には、各受光素子の中心波長における分光放射輝度を算出する。ここで、測定試料２４の分光放射輝度をＲａｄ（λ）とし、測定試料２４の測光カウント値をＣｓ（λ）とし、測定試料２４のレベル校正係数をＬｃａｌ（λ）とすると、分光放射輝度をＲａｄ（λ）は、以下に示す式６で表すことができる。
【００７１】
Ｒａｄ（λ）＝Ｃｓ（λ）・Ｌｃａｌ（λ）  ・・・（６）
なお、式６の演算をするためには、校正データであるレベル校正係数が必要である。そこで、パソコン６は記憶部４３からレベル校正係数を取得しておく。
【００７２】
このようにして得られた、各受光素子における分光放射輝度は、ステップＳ３０２において算出した、その各受光素子に対応する受光系中心波長における値である。そこで、任意の波長における分光放射輝度に換算するため、３次補間を行う（Ｓ４０６）。パソコン６は、このようにして、求めた任意の波長における分光放射輝度から、色彩演算を行う（Ｓ４０７）。さらに、パソコン６は得られた分光放射輝度および色彩演算の結果を表示する（Ｓ４０８）。
【００７３】
このように、実施の形態２に係る分光特性測定システムは、非発光の物体または発光する物体を測定試料２４とすることができる。すなわち、光源色測定用および反射物体色測定用のいずれにおいても使用できる。また、白色ＬＥＤを照明光として用いているにもかかわらず、高精度を維持できる。また、白色ＬＥＤを照明光として用いていることから、照明光の長寿命化、小型化、軽量化等を実現できる。
【００７４】
（実施の形態３）
本発明の実施の形態３に係る分光特性測定装置を含む分光特性測定システムについて説明する。実施の形態３に係る分光特性測定システムは、校正データの１つである、合成感度による各受光素子の中心波長（合成中心波長）が分光特性測定装置ではなく、パソコンにより読み出し可能な補助記録媒体に記憶されていて、パソコンは補助記録媒体および分光特性測定装置の記憶部から校正データを読み出し、さらに測定データも用いて色彩演算等を行う。
【００７５】
なお、実施の形態３に係る分光特性測定システムの構成は、実施の形態１に係る分光特性測定システムの構成と同一であるため、説明を省略する。また、実施の形態３に係る分光特性測定システムの説明において、各部材には実施の形態１と同一の符号を用い、説明には図１〜図３を用いる。実施の形態３に係る分光特性測定システムＳのパソコン６は、例えば、分光特性測定装置１００とＵＳＢ等のインターフェースを介して接続されている。そして、パソコン６は、演算を行うためのＣＰＵや、ＲＯＭ、ＥＥＰＲＯＭ、ＲＡＭ、フラッシュメモリ等の記憶部を有する。さらに、パソコン６はＣＤ−ＲＯＭ（Compact Disc Read Only Memory）やメモリーカード等の補助記録媒体を装着あるいは脱着可能であり、これら補助記録媒体からのデータの読み出しや、補助記録媒体へのデータの書き込みが可能である。それにより、パソコン６における演算に用いるデータが記憶された補助記録媒体をパソコン６に装着して演算に必要なデータを読み出したり、パソコン６が算出したデータを補助記録媒体により保存しておくこと等が可能である。なお、実施の形態３に係る分光特性測定システムは、実施の形態２と同様に、発光していない物体だけでなく、光源等の発光している物体についても、その分光特性を測定できる。
【００７６】
このような、実施の形態３に係る分光特性測定システムＳにおける分光特性測定装置１００の出荷時の校正方法は、図７のフローチャートに示されている。したがって、実施の形態２に係る分光特性測定装置の校正方法と同様に行えばよい。ただし、図７のステップＳ３０９において、実施の形態２においては、算出された合成感度による合成中心波長は記憶部４３に記憶されるが、実施の形態３においては、算出された合成感度による合成中心波長は、記憶部４３ではなくパソコン６により読み出しが可能である補助記録媒体に記憶される（Ｓ３０９）。これにより、合成感度による合成中心波長が記憶された補助記録媒体と分光特性測定装置とがセットで取り扱われる。
【００７７】
実施の形態３に係る分光特性測定システムＳにおいては、分光特性測定装置１００と、色彩演算等の演算動作のプログラムがインストールされたパソコン６とが接続されて構成される。そして、このパソコン６には前記分光特性測定装置とセットである補助記録媒体が装着され、パソコン６はこの補助記録媒体に記憶されたデータを読み出して、測定データおよび分光特性測定装置に記憶された他の校正データも用いて色彩演算を行う。具体的には、実施の形態３に係る分光特性測定システムＳにおける分光特性測定方法は、実施の形態２に係る分光特性測定方法と同様であるため、図８および図５のフローチャートの手順に沿って行えばよい。ただし、パソコン６による演算に用いられる、校正データの１つである合成感度による各受光素子の合成中心波長は、記憶部４３ではなく補助記録媒体から読み出される。なお、パソコン６に色彩演算等の演算動作のプログラムをインストールする際に、合成感度による各受光素子の合成中心波長もパソコン６の記憶部に保存されることとしてもよい。その場合は、補助記録媒体を用いることなく、分光特性測定装置１００がパソコン６に接続され、測定が開始されることでデータ等がパソコン６に送信されてきた場合に、パソコン６は、前記記憶部に保存されている合成感度による各受光素子の合成中心波長を用いて色彩演算を行うこととすればよい。
【００７８】
以上、本実施の形態について説明したが、上述の校正方法および測定方法に限定されることはなく、照明光の波長に対する分光強度分布を取得し、その分光強度分布をもとに算出した合成中心波長を用いた校正方法または測定方法を行うのであれば、上記校正方法または測定方法以外の方法を用いてもよい。
【００７９】
例えば、特開２００５−６９７８４号公報には、ＵＶ（Ultraviolet）−ＬＥＤ（紫外線ＬＥＤ）を波長補正検出用光源として備えた分光特性測定システムが開示されている。また、特表平１０−５０８９８４号公報には、温度補正を行う分光特性測定システムが開示されている。このような、分光特性測定システムにおいても、照明光の波長に対する分光強度分布をもとに算出した中心波長を用いて、校正および測定を行うことで、照明光に白色ＬＥＤ等を用いても、高精度の測定を実現できる。
【００８０】
また、照明部としては、図１０の特性を示す白色ＬＥＤに限定されるわけではない。例えば、白色光を出射するＬＥＤとしては、３種類のタイプがある。つまり、青色ＬＥＤチップの光を蛍光体材料に当てて黄色の光を出力し、青色と黄色の混色で白色光を作り出すもの、近紫外ＬＥＤチップが出す光を複数の蛍光体材料に当てて混色して白色光を作り出すもの、赤色、緑色、青色の各ＬＥＤを同時に光らせて混色して白色光を作り出ものがあるが、これらすべてにおいて、本実施の形態の照明部として用いることが可能であり、これらを用いた場合であっても、高精度の測定を実現できる。
【００８１】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【図面の簡単な説明】
【００８２】
【図１】実施の形態１に係る分光特性測定システムの構成を説明するための図である。
【図２】実施の形態１に係る分光特性測定装置の測定部の構成を示す側面図である。
【図３】実施の形態１に係る分光特性測定装置の測定部において、白色ＬＥＤよりも下側の構成を示す上面図である。
【図４】実施の形態１に係る分光特性測定装置の校正方法を示すフローチャートである。
【図５】実施の形態１に係る分光特性測定システムを用いた測定方法を示すフローチャートである。
【図６】実施の形態１の分光特性測定装置と白色ＬＥＤを用いた従来の分光特性測定装置との性能評価を示すグラフである。
【図７】実施の形態２に係る分光特性測定装置の校正方法を示すフローチャートである。
【図８】実施の形態２に係る分光特性測定装置を用いた測定方法を示すフローチャートである。
【図９】タングステンランプの波長強度分布を示すグラフである。
【図１０】白色ＬＥＤの波長強度分布を示すグラフである。
【図１１】照明光をタングステンランプとした場合における受光素子の受光感度について説明する第１のグラフであって、図１１（Ａ）は受光素子の受光感度および照明光の光強度を示すグラフであり、図１１（Ｂ）は受光素子の合成感度を示すグラフである。
【図１２】照明光を白色ＬＥＤとした場合における受光素子の受光感度について説明する第１のグラフであって、図１２（Ａ）は受光素子の受光感度および照明光の光強度を示すグラフであり、図１２（Ｂ）は受光素子の合成感度を示すグラフである。
【図１３】照明光をタングステンランプとした場合における受光感度について説明する第２のグラフであって、図１３（Ａ）は各受光素子の受光感度を示すグラフであり、図１３（Ｂ）は重み付け後の受光感度を示すグラフである。
【図１４】照明光を白色ＬＥＤとした場合における受光感度について説明する第２のグラフであって、図１４（Ａ）は受光素子の受光感度を示すグラフであり、図１４（Ｂ）は重み付け後の受光感度を示すグラフである。
【符号の説明】
【００８３】
１      発光回路
２      測定部
３      分光測定部
４      制御部
５      測定トリガ
６      パソコン
２１    白色ＬＥＤ
２２    反射ミラー
２３    トロイダルミラー
２４    測定試料
２５    レンズ
２６    オプティカルファイバ
２７    紫色ＬＥＤ
３１    入射スリット
３２    回折格子
３３    受光ラインセンサ
４１    測定制御部
４２    演算処理部
４３    記憶部
１００  分光特性測定装置
Ｓ      分光特性測定システム
【図１】
2010060525.tif 000004
【図２】
2010060525.tif 000005
【図３】
2010060525.tif 000006
【図４】
2010060525.tif 000007
【図５】
2010060525.tif 000008
【図６】
2010060525.tif 000009
【図７】
2010060525.tif 000010
【図８】
2010060525.tif 000011
【図９】
2010060525.tif 000012
【図１０】
2010060525.tif 000013
【図１１】
2010060525.tif 000014
【図１２】
2010060525.tif 000015
【図１３】
2010060525.tif 000016
【図１４】
2010060525.tif 000017